(57)【特許請求の範囲】
【請求項１】
基礎コンクリート用型枠パネルの内面に重ね合わせる縦方向の係合部片と前記型枠パネル上に載置する横方向の載置部片とで成る断面Ｌ字形の一対の支持基枠の前記係合部片に支持杆を架設して保持具本体を構成し、該保持具本体の支持杆に、縦部片の上下両側に相対して連設した上下部片を備えた係合枠を、前記縦部片が前記載置部片の前記支持杆を介して相対する一対の側縁の一側縁側に位置し、しかも、該支持杆を上下部片間に介在するように組付け、該係合枠の前記縦部片に螺合貫通させた締付け螺子の先端が前記支持杆を介して圧接するアンカーボルトの組付け孔を、係合枠の前記上下部片に形成すると共に、載置部片の前記一側縁を前記締付け螺子の軸線と直交する直縁状と成して、該一側縁の延長線と前記組付け孔に組付けたときの前記アンカーボルトとの最短の離開距離をａ、前記一側縁側に配する柱の、ホールダウン金物を固着する側面と前記ホールダウン金物に設けたアンカーボルト接続用の受孔との最短の離開距離をｂとしたとき、ａ＝ｂの関係にした、基礎コンクリート打設時におけるアンカーボルトの保持具。
【請求項２】
載置部片の一側縁に相対する他の一側縁を段状にして突出直縁部と凹入直縁部を設けて、該突出直縁部の延長線又は該凹入直縁部の延長線と組付け孔に組付けたときのアンカーボルトとの最短の離開距離をｃ、前記延長線と前記他の一側縁側に配する柱の、ホールダウン金物を固着する側面との最短の離開距離をｄ、また、柱の前記側面と前記ホールダウン金物に設けたアンカーボルト接続用の受孔との最短の離開距離をｂとしたとき、ｂ＝ｃ＋ｄの関係にした、請求項１記載の基礎コンクリート打設時におけるアンカーボルトの保持具。
【発明の詳細な説明】
【０００１】
【産業上の利用分野】
本発明は、木造建物の基礎コンクリートに下部を埋設して立設し、前記基礎コンクリート上に載置した土台を通じて柱に固着したホールダウン金物（引き寄せ金物）と接続して前記柱を土台乃至基礎コンクリートに強固に締結するために用いるアンカーボルト（ホールダウン金物用の）を、前記基礎コンクリート打設時に保持するために用いるアンカーボルトの保持具に関するものである。
【０００２】
【従来の技術】
いわゆるホールダウン金物（引き寄せ金物）は、柱に固着して用い、基礎コンクリートに立設したアンカーボルトと接続するようにして柱を土台乃至基礎コンクリートに強固に締結する金具として近年富に用いられるようになっているが、例えば、Ｚマーク金物の一つとして挙げられているようにほぼ定型化されており、従って、柱に固着した状態でのアンカーボルトの配置関係はほぼ一定で、このため、ホールダウン金物用としてのアンカーボルトを基礎コンクリートにその打設時に固定立設するに際しては、ホールダウン金物の柱側面に取付けた位置を想定して、前記アンカーボルトの基礎コンクリートに対する立設位置を定めてコンクリート型枠に打設したコンクリートが乾燥するまで保持しておく必要があるが、保持するものとしては例えば特開平１１−３２３９５２号公報に所載の構造のものがある。
【０００３】
【発明が解決しようとする課題】
前記公報所載のものは、基礎コンクリートが乾燥するまでアンカーボルトを保持するものとしては好適であるが、設置位置に対するアンカーボルトの位置決めについて考慮は払われていない。
【０００４】
例えば、基礎コンクリートの直線部は勿論、Ｔ字部或いは十字部の隅角部に配する柱に固着するホールダウン金物に接続するアンカーボルトをコンクリート打設時に前記ホールダウン金物との対応位置に配置する（位置決めする）作業は、特別にスケールを作成する等煩雑で、作業性が悪い。
【０００５】
本発明は、このようなホールダウン金物に接続するアンカーボルトの基礎コンクリート打設時における保持具として好適な製品を提供すべく創案したものである。
【０００６】
【課題を解決するための手段】
基礎コンクリート用型枠パネルの内面に重ね合わせる縦方向の係合部片と前記型枠パネル上に載置する横方向の載置部片とで成る断面Ｌ字形の一対の支持基枠の前記係合部片に支持杆を架設して保持具本体を構成し、該保持具本体の支持杆に、縦部片の上下両側に相対して連設した上下部片を備えた係合枠を、前記縦部片が前記載置部片の前記支持杆を介して相対する一対の側縁の一側縁側に位置し、しかも、該支持杆を上下部片間に介在するように組付け、該係合枠の前記縦部片に螺合貫通させた締付け螺子の先端が前記支持杆を介して圧接するアンカーボルトの組付け孔を、係合枠の前記上下部片に形成すると共に、載置部片の前記一側縁を前記締付け螺子の軸線と直交する直縁状と成して、該一側縁の延長線と前記組付け孔に組付けたときの前記アンカーボルトとの最短の離開距離をａ、前記一側縁側に配する柱の、ホールダウン金物を固着する側面と前記ホールダウン金物に設けたアンカーボルト接続用の受孔との最短の離開距離をｂとしたとき、ａ＝ｂの関係にしたことを基本的手段とし、載置部片の一側縁に相対する他の一側縁を段状にして突出直縁部と凹入直縁部を設けて、該突出直縁部の延長線又は該凹入直縁部の延長線と組付け孔に組付けたときのアンカーボルトとの最短の離開距離をｃ、前記延長線と前記他の一側縁側に配する柱の、ホールダウン金物を固着する側面との最短の離開距離をｄ、また、柱の前記側面と前記ホールダウン金物に設けたアンカーボルト接続用の受孔との最短の離開距離をｂとしたとき、ｂ＝ｃ＋ｄの関係にしたことを付加することにより基礎コンクリートのＴ字部或いは十字部等の隅角部に用いるのに好適な製品を提供できる。
【０００７】
なお、ａ＝ｂ或いはｂ＝ｃ＋ｄの関係は厳密な意味での等しいことを意味せず、要は、本保持具を用いてアンカーボルトを保持して基礎コンクリートに立設したとき、該アンカーボルトとホールダウン金物側の受孔と接続するに不都合のない位置に配置できる関係にあることを意味する。
【０００８】
【実施例】
図面は本発明に係る基礎コンクリート打設時におけるアンカーボルトの保持具の一実施例を示し、図１は平面図、図２は正面図、図３は斜視図、図４は基礎コンクリート直線部の柱との関係を示す平面図、図５は基礎コンクリート隅角部の柱との関係を示す平面図、図６は同じく基礎コンクリート隅角部の柱との関係を示す平面図、図７はホールダウン金物とアンカーボルトとの関係を示す側面図である。
【０００９】
実施例の保持具Ａは、基礎コンクリートｃに載置した土台ｂを通じて柱ｐに固着したホールダウン金物（引寄せ金物）ａと接続して前記柱ｐを土台ｂ乃至基礎コンクリートｃに強固に締結するために用いるホールダウン金物ａ用のアンカーボルトＢを、前記基礎コンクリートｃに予め立設するために、基礎コンクリートｃ打設時に下部側を型枠Ｈ内に挿入して保持（支持）しておくために用いるもので保持具本体１と係合枠２および締付け螺子３とで成り、これらをアンカーボルトＢと組付けて前記の通り用いるようにしたものである。
【００１０】
なお、アンカーボルトＢはホールダウン金物ａ用に限定する必要はなく、例えば前記土台ｂを基礎コンクリートｃに締結するためにのみ用いるものであって適用（アンカーボルトを保持する、という意味で）することができる。
【００１１】
保持具本体１は、縦方向に配した係合部片４ａと横方向の載置部片４ｂとで成る断面Ｌ字形の一対の支持基枠４，４の前記係合部片４ａ，４ａ間に角筒状の支持杆５を架設して構成し、前記型枠Ｈの側枠Ｈ´の内側に係合部片４ａを重ね合わせ（側枠Ｈ´，Ｈ´間に係合部片４ａを挿入し）、載置部片４ｂを側枠Ｈ´に載置するようにして側枠Ｈ´，Ｈ´間に渡し、側枠Ｈ´，Ｈ´間に存する前記支持杆５に係合枠２を組付けたものであって、支持基枠４の載置部片４ｂの前記支持杆５を介して相対する一対の側縁の一側縁６を、前記締付け螺子３の係合枠２の縦部片２ａに対する螺合方向と直交する直縁状と成し、前記一側縁６に相対する他側縁６´を締付け螺子３の前記螺合方向に段状形状に成して突出直縁部６´Ａと凹入直縁部６´Ｂとしたものである。
【００１２】
前記係合枠２は、前記縦部片２ａと該縦部片２ａの上下両側に相対して連設した上部片２ｂと下部片２ｂ´とで成り、上下部片２ｂ，２ｂ´間に前記支持間５が介在するようにして前記保持具本体１に支持杆５に沿って移動可能にして組付け、上下部片２ｂ，２ｂ´には前記アンカーボルトＢを貫通して組付ける組付け孔７，７を設け、縦部片２ａには、組付け孔７，７に貫通させたアンカーボルトＢの軸線と直交する位置にして螺子孔８を設けてある。
【００１３】
また、係合枠２と保持具本体１は、前記の通り、係合枠２の上部片２ｂと下部片２ｂ´との間に本体１の支持杆５が介在するようにして互いに組付けて保持具Ａを構成するものであるが、前記縦部片２ａ（前記上下部片２ｂ，２ｂ´の基部）が前記載置部片４ｂの一側縁６側に、上下部片２ｂ，２ｂ´の先端部が他側縁６´側にそれぞれ位置する関係にして保持具本体１と係合枠２は互いに組付けてある。
【００１４】
そして、このような組付け（配置）関係において、前記一側縁６の延長線と前記組付け孔７に組付けたときの前記アンカーボルトＢ（の軸線）との最短の離開距離をａ、前記一側縁６側に配する柱ｐの、ホールダウン金物ａを固着する側面ｐ´と前記ホールダウン金物に設けたアンカーボルト接続用の受孔（のほぼ中心）ｎとの最短の離開距離をｂとしたとき、ａ＝ｂの関係にし、また、載置部片４の一側縁６に相対する他の一側縁６´を段状にして設けた突出直縁部６´Ａ又は凹入直縁部６´Ｂの延長線と組付け孔７に組付けたときのアンカーボルトＢ（の軸線）との最短の離開距離をｃ、前記延長線と前記他側縁６´側に配する柱ｐの、ホールダウン金物ａを固着する側面ｐ´との最短の離開距離をｄ、また、柱ｐの前記側面ｐ´と前記ホールダウン金物ａに設けたアンカーボルトＢ接続用の受孔（のほぼ中心）ｎとの最短の離開距離をｂとしたとき、ｂ＝ｃ＋ｄの関係にしてある。
【００１５】
なお、螺子孔８は垂直部片２ａに形成した透孔と一致する位置にして縦部片２ａにナット材を固着して構成してある。
【００１６】
支持基枠４の載置部片４ｂの中央部に設けた透孔９は、実施例の金属製の型枠Ｈに代えて木製の型枠に適用する際に、該型枠に固定するための釘着用の透孔である。
【００１７】
締付け螺子３は蝶ボルト形状のものを用いているが、これは操作上の便のためで、通常の六角頭ボルトを用いても差し支えはない。
【００１８】
なおまた、係合枠２の上下部片２ｂ，２ｂ´の自由端側の一隅部に螺子杆１０をわたしてナット１１を螺合して組付けてあるが、これは、運搬或いは保管時に保持具本体１と係合枠２の組付け状態を維持するためのものである。
【００１９】
支持杆５の表面（上面）に基礎コンクリートｃの幅員方向の位置を表示する目印を刻設手段等で表示すると使用上好適である。
【００２０】
しかして、基礎コンクリートｃ（型枠Ｈ）の直線部Ｔに配する柱ｐのホールダウン金物ａを固着する側の側面ｐ´と載置部片４の一端縁（直縁状）６のそれぞれの延長線が一致する位置にして保持具Ａを前記載置片４，４において型枠Ｈの側枠Ｈ´上に載置し、当該位置に定置した状態（実施例の場合は載置片間の離開距離と側枠Ｈ´，Ｈ´間の径が一致しているので係合部片４ａを型枠Ｈ内に係合するだけで定置される）でアンカーボルトＢを組付け孔７に貫通係合して締付け螺子３を締付け固定すると（図４）、前記一側縁６と組付け孔７に係合したアンカーボルトＢとの離開距離と、柱側面ｐ´と該側面ｐ´に固着するホールダウン金物ａに設けた前記アンカーボルトＢの受孔ｎとの離開距離が等しくなるようにしているため、アンカーボルトＢはホールダウン金物ａとの関係で正位置にして基礎コンクリートｃに立設されることになる。
【００２１】
また、図５および図６で示すように、基礎コンクリートｃ（型枠Ｈ）の隅角部Ｌに配する柱ｐのホールダウン金物ａを固着する側の側面ｐ´に対するようにして、一方の載置部片４の一端縁６´の突出直縁部６´Ａ（図５）又は凹入直縁部６´Ｂ（図６）を型枠Ａの側枠Ａ´の縁Ｈ´ａと一致させるようにして載置片４，４を型枠Ｈの側枠Ｈ´上に載置し、図４で示したと同様にして締付け螺子３を締付けてアンカーボルトＢを固定すると、前記突出直縁部６´Ａの延長線又は凹入直縁部６´Ｂの延長線と組付け孔７に組付けたアンカーボルトＢとの離開距離ｃと、前記延長線と前記側面ｐ´との離開距離ｄを加算したｃ＋ｄは、側面ｐ´と受孔ｎとの離開距離ｂと等しくなるように設定してあるため、アンカーボルトＢはホールダウン金物ａとの関係で正位置にして基礎コンクリートｃに立設されることになる。
【００２２】
突出直縁６´Ａと突出直縁６´Ｂを選択的にして縁Ｈ´ａに一致させて用いるようにするのは柱の径に対応させて使い分けるためで、実施例では柱１２０角の場合は突出直縁部６´Ａを（図５）、柱１０５角の場合は凹入直縁部６´Ｂを（図６）それぞれ利用するようにしてある。
【００２３】
【発明の効果】
本発明は前記の通りの構成であるから、ホールダウン金物と対応する位置にアンカーボルトを容易に配置して、基礎コンクリートに対するアンカーボルトの立設作業を容易に行うことができる。
【図面の簡単な説明】
【図１】平面図。
【図２】正面図。
【図３】斜視図。
【図４】基礎コンクリート直線部の柱との関係を示す平面図。
【図５】基礎コンクリート隅角部の柱との関係を示す平面図。
【図６】基礎コンクリート隅角部の柱との関係を示す平面図。
【図７】ホールダウン金物とアンカーボルトとの関係を示す側面図。
【符号の説明】
１      保持具本体
２      係合枠
３      締付け螺子
４      支持基枠
５      支持杆
６      一側縁
６´    他の一側縁
７      組付け孔
Ｂ      アンカーボルト
Ｈ      型枠パネル
ａ      ホールダウン金物
ｐ      柱
ｐ´    側面
【図１】
0004531224.tif 000002
【図２】
0004531224.tif 000003
【図３】
0004531224.tif 000004
【図４】
0004531224.tif 000005
【図５】
0004531224.tif 000006
【図６】
0004531224.tif 000007
【図７】
0004531224.tif 000008